(57)【要約】【課題】七宝釉着を施した装身具の色彩や色調が経年変化を生じないようにして、その高級感があり優雅な品質を長期間に亘って保てるようにする。【解決手段】ブローチ等の装身具において、金又は金合金製の装身具基材２の表面に純銀メッキ層３が形成され、その純銀メッキ層３上に七宝釉薬の釉着による七宝層５が形成されている。その装身具の製造方法は、金又は金合金製の装身具基材２の表面に純銀メッキを施し、その純銀メッキ層３上に七宝釉薬による釉着を行って七宝層５を形成する。【選択図】        図２
2008161603.tif 000002
【特許請求の範囲】
【請求項１】
金又は金合金製の装身具基材の表面に純銀メッキ層が形成され、該純銀メッキ層上に七宝釉薬の釉着による七宝層が形成されていることを特徴とする装身具。
【請求項２】
金又は金合金製の装身具基材の表面に純銀メッキを施し、その純銀メッキ層上に七宝釉薬による釉着を行って七宝層を形成することを特徴とする装身具の製造方法。
【請求項３】
ホワイトゴールド製の装身具基材の表面に純銀メッキを施し、その純銀メッキ層上に七宝釉薬による釉着を行って七宝層を形成することを特徴とする装身具の製造方法。
【請求項４】
前記七宝層がない部分の前記純銀メッキ層を除去し、前記ホワイトゴールド製の装身具基材が露出した部分にロジウムメッキを施すことを特徴とする請求項３に記載の装身具の製造方法。
【発明の詳細な説明】
【技術分野】
【０００１】
この発明は、金又は金合金製のブローチ、ペンダント、ネクタイピン等の装身具に七宝釉着を施した装身具及びその製造方法に関する。
【背景技術】
【０００２】
七宝焼は伝統工芸品として従来からよく知られており、工芸品や装飾品として多用されている。七宝焼は特有のガラス質の透明感と重量感があり、複雑に変化する微妙な色合いと光沢が生じて、美しく優雅な趣がある。
従来の七宝焼製品は、一般に銅板による基材の表面をよく磨いてから、その表面に様々な模様を描くように色彩の釉薬を塗り、それを釜又は炉に入れて焼成して釉着を施して作られる。
【０００３】
一方、ブローチ、ペンダント、ネクタイピン等の各種装身具は、一般に金や銀、プラチナなどの貴金属と宝石などによって作られているが、七宝焼によってブローチやペンダントなどの装身具や小物を作ることも行われている。
【発明の開示】
【発明が解決しようとする課題】
【０００４】
しかしながら、従来の七宝焼による装身具は、伝統工芸品と同様に、一般に銅製の基材の表面に七宝釉着を施して作られているので、趣味的なものが多く、本格的な装身具としては高級感に欠けるきらいがあった。
そこで、金又はホワイトゴールドのような金合金製の高級な装身具に七宝釉着を施して、優雅で高級感のある装身具を作ることを試みた。
【０００５】
しかし、金又は金合金製の装身具基材の表面に七宝釉薬による釉着を施した装身具は、その色彩や色調が期間の経過と共に変化（経年変化）してしまい、商品価値が低下してしまうという問題があった。
この発明は、このような色彩や色調の経年変化が生じないようにして、高級感があり優雅で且つ長期間に亘って品質が変化しない七宝釉着を施した装身具を提供することを目的とする。
【課題を解決するための手段】
【０００６】
この発明による装身具は、上記の目的を達成するため、金又は金合金製の装身具基材の表面に純銀メッキ層が形成され、その純銀メッキ層上に七宝釉薬の釉着による七宝層が形成されている。
また、この発明による装身具の製造方法は、上記の目的を達成するため、金又は金合金製の装身具基材の表面に純銀メッキを施し、その純銀メッキ層上に七宝釉薬による釉着を行って七宝層を形成することを特徴とする。
【０００７】
ホワイトゴールド製の装身具基材の表面に純銀メッキを施し、その純銀メッキ層上に七宝釉薬による釉着を行って七宝層を形成するとよい。
その場合さらに、その七宝層がない部分の純銀メッキ層を除去し、ホワイトゴールド製の装身具基材が露出した部分にロジウムメッキを施すとよい。
【発明の効果】
【０００８】
この発明によれば、金又は金合金製の基材に七宝釉着を施した装身具の色彩や色調が殆ど経年変化しなくなり、高級感がある優美な状態を長期間に亘って保つことができる。したがって、この種の装身具の商品価値を大幅に高めることができる。
【発明を実施するための最良の形態】
【０００９】
以下、この発明の好ましい実施の形態を図面を参照して具体的に説明する。
図１はこの発明による装身具の一実施形態であるブローチの主要部を示す斜視図である。図２はその一部の拡大断面図である。
このブローチ１は花弁１１と萼１２と芯１３からなる花をデザイン化した美しい形状をなしている。なお、衣服に留めるためのピンなどの部分は図示を省略している。
【００１０】
そして、このブローチ１は図２の拡大断面図に示すように、その形状に加工された金又は金合金製の装身具基材２（下地）の表面に、純銀メッキ層３が形成され、その純銀メッキ層３上に七宝釉薬の釉着による七宝層５が形成されている。ここで、純銀とは重量パーセントで９９．７％以上の純度の銀を云う。金としては１８金（ＹＧＫ１８）など、金合金としてはホワイトゴールド（ＷＧＫ１８）などが使用される。
【００１１】
このように構成されたブローチ１は、装身具基材２が露出する部分の金又は金合金による高級感に加えて、七宝層５による特有のガラス質の透明感と重量感があり、色彩が複雑に変化する微妙な色合いと光沢が生じて、美しく優雅な趣がある。しかも、金又は金合金製の装身具基材２の表面に純銀メッキ層３を介して七宝層５が形成されているため、その色彩や色調が殆ど経年変化せず、高級感がある優美な状態を長期間に亘って保つことができる。
【００１２】
次に、この発明による装身具の製造法の一実施形態を、図３に示す工程フロー図を用いて説明する。
図３に示す最初の工程では、図１に示したブローチ１のような装身具の金又は金合金製の装身具基材２（図２）をダイキャストや細工の加工をして、ブローチやペンダントなどの所望の装身具の形状に仕上げる。
【００１３】
そして、次の工程で電界研磨によって基材表面を研磨して滑らかにする。この電界研磨は、金属製品（この場合装身具基材２）を電解液槽の電解液中に浸漬して、その電解液槽との間に電界液を介して直流電流を流して、金属表面の小さな突起等を溶解させることによって研磨効果を得る方法である。
【００１４】
さらに、次の工程では、磁気バレル研磨によって表面を磨く。この磁気バレル研磨は、金属製品（この場合装身具基材２）を、容器内で磁性のあるステンレス製の特殊なピン及び研磨液と共に回転及び攪拌して研磨する方法であり、凹凸のあるダイカスト製品の入り組んだ細部まで短時間で綺麗に研磨できる。
【００１５】
その後、純銀メッキ工程で、電解メッキによって装身具基材２の全表面に９９．７％以上の純度の純銀メッキを施す。
そして、表面に純銀メッキ層３を形成した装身具基材２を、次の洗浄工程で純水によって前処理の洗浄を行ってメッキ液などを洗い流す。
【００１６】
そして、いよいよ釉着工程を実施する。この工程では、装身具基材２の純銀メッキ層３上の任意の部分に所望の色彩の七宝釉薬を塗り重ねて図柄などを描いたり、ぼかしを入れたりする。その七宝釉薬の主成分は、硅石、鉛丹、硝酸カリ、炭酸ソーダ、及びほう砂である。また、透明釉薬の顔料は、赤系：金、青系：酸化銅又は酸化コバルト、紫系：二酸化マンガン、茶系：酸化鉄、などである。
【００１７】
七宝釉薬を塗り終わった後、少し乾燥させてから、釜又は炉に入れて７００℃〜７５０℃の温度で焼成する。これによって、装身具基材２の純銀メッキ層３上の七宝釉薬を塗った部分に美しい七宝層５ができる。
その後の工程で再び電界研磨を行って、装身具基材２の表面の七宝層５が形成されていない部分（裏面や側面など）の純銀メッキ層を除去し、金又は金合金の美しい地金を露出させる。
【００１８】
そして、最後に仕上げのバフ研磨工程を行って光沢を出し、七宝焼を施した優雅なブローチ１等の装身具が完成する。
装身具基材２がホワイトゴールド製の場合には、図３に破線で示すように、バフ研磨工程の後にロジウムメッキ工程を実施して、装身具基材２のホワイトゴールドが露出した部分の表面にロジウムメッキを施すとよい。それによって、ホワイトゴールドの表面の保護を図ると共に変色を防止することができる。
【００１９】
このように、この発明によれば、金又は金合金製の装身具基材の表面に直接七宝釉着を施すのではなく、純銀メッキを施して、その純銀メッキ層上に七宝釉着を施すことにより、釉着によって形成された七宝層の色彩や色調が殆ど経年変化せず、高級感がある優美な状態を長期間に亘って保つことができる。そのため、七宝焼を施した装身具の商品価値を大幅に高めることができる。
【産業上の利用可能性】
【００２０】
この発明による装身具及びその製造方法は、七宝焼を施した各種の装身具、例えばブローチ、ペンダント、指輪、イヤリング、ピアス、髪留め、ネクタイピン、カフスボタン等の小物から、さらにコンパクト、時計、眼鏡、手鏡などの金属部分にも利用できる。
【図面の簡単な説明】
【００２１】
【図１】この発明による装身具の一実施形態であるブローチの主要部を示す斜視図である。
【図２】図１に示したブローチの一部を拡大して示す断面図である。
【図３】この発明による装身具の製造法の一実施形態を説明するため工程フロー図である。
【符号の説明】
【００２２】
１：ブローチ（装身具）      ２：金又は金合金製の装身具基材（下地）
３：純銀メッキ層      ５：七宝層
【図１】
2008161603.tif 000003
【図２】
2008161603.tif 000004
【図３】
2008161603.tif 000005